(57)【要約】【課題】操作部が原点位置に復帰する際に、操作部の揺れが生じにくく、原点位置へのより正確な復帰が可能となる、ポインティングデバイスを提供すること。【解決手段】第１付勢部は、第１軸線２７の原点位置２８を中心とした上記第１移動体３の往復移動範囲の全体に亘って、原点位置２８へ向かう付勢力を単体で生じる第１弾性部材１１を備え、  上記第２付勢部１６は、第２軸線２９の原点位置３０を中心とした第２移動体４の往復移動範囲の全体に亘って、原点位置３０へ向かう付勢力を単体で生じる第２弾性部材１６を備える。【選択図】図２
2008250769.tif 000002
【特許請求の範囲】
【請求項１】
基部と、第１軸線に沿って移動可能に該基部に支持される第１移動体と、該第１移動体を該第１軸線の原点位置に向けて弾性的に付勢する第１付勢部と、該第１軸線に直交する第２軸線に沿って移動可能に該第１移動体に支持される第２移動体と、該第２移動体を該第２軸線の原点位置に向けて弾性的に付勢する第２付勢部とを具備するポインティングデバイスにおいて、
前記第１付勢部は、前記第１軸線の前記原点位置を中心とした前記第１移動体の往復移動範囲の全体に亘って、該原点位置へ向かう付勢力を単体で生じる第１弾性部材を備え、
前記第２付勢部は、前記第２軸線の前記原点位置を中心とした前記第２移動体の往復移動範囲の全体に亘って、該原点位置へ向かう付勢力を単体で生じる第２弾性部材を備えること、
を特徴とするポインティングデバイス。
【請求項２】
前記第１弾性部材が第１圧縮ばねからなり、前記第１移動体が前記第１軸線の前記原点位置にあるときに、該第１圧縮ばねがその両端で前記基部に支持され、前記第１移動体が前記第１軸線に沿って前記原点位置から移動する間に、該第１圧縮ばねが前記基部と前記第１移動体との間で圧縮される、請求項１に記載のポインティングデバイス。
【請求項３】
前記第２弾性部材が第２圧縮ばねからなり、前記第２移動体が前記第２軸線の前記原点位置にあるときに、該第２圧縮ばねがその両端で前記第１移動体に支持され、前記第２移動体が前記第２軸線に沿って前記原点位置から移動する間に、該第２圧縮ばねが前記第１移動体と前記第２移動体との間で圧縮される、請求項１又は２に記載のポインティングデバイス。
【請求項４】
前記基部と前記第１移動体との間に設けられ、前記第１移動体を前記第１軸線に沿って案内する第１案内部をさらに具備し、該第１案内部の両側の対称位置に、一対の前記第１弾性部材が設置される、請求項１〜３のいずれか一項に記載のポインティングデバイス。
【請求項５】
前記第１移動体と前記第２移動体との間に設けられ、前記第２移動体を前記第２軸線に沿って案内する第２案内部をさらに具備し、該第２案内部の両側の対称位置に、一対の前記第２弾性部材が設置される、請求項１〜４のいずれか一項に記載のポインティングデバイス。
【請求項６】
請求項１〜５のいずれか一項に記載のポインティングデバイスを備えたノートパソコン。
【発明の詳細な説明】
【技術分野】
【０００１】
本発明はポインティングデバイス、およびそれを備えたノートパソコンに関する。
【背景技術】
【０００２】
特許文献１は、一対の水平な第１支持棒に摺動可能に取り付けられ第１水平ばねで原点位置に付勢される、第１水平移動プレートと、一対の水平な第２支持棒に摺動可能に取り付けられ第２水平ばねで原点位置に付勢される、第２水平移動プレートとを有するポインティングデバイスを開示している。
【０００３】
【特許文献１】特開２００６−１８５０７２号公報
【発明の開示】
【発明が解決しようとする課題】
【０００４】
特許文献１の第１水平移動プレートは、第１水平ばねにより、第１水平移動プレートを挟むようにして両側から付勢されていて、第２水平移動プレートも、第２水平ばねにより、第２水平移動プレートを挟むようにして両側から付勢されているため、操作部を移動して、例えば第１水平プレートを、一方の水平ばねの方向に移動させてから、手を離して、第１水平移動プレートを原点位置に戻す際に、第１水平移動プレートがばねで挟まれているために、操作部が揺れたり、原点位置からずれて復帰したりする問題があった。
【０００５】
本発明の目的は、操作部が原点位置に復帰する際に、操作部の揺れが生じにくく、原点位置へのより正確な復帰が可能となる、ポインティングデバイスを提供することである。
【課題を解決するための手段】
【０００６】
上記目的を達成するために、本発明によれば以下のような特徴を有するポインティングデバイスおよび、それを備えたノートパソコンが提供される。
【０００７】
請求項１の発明では、基部と、第１軸線に沿って移動可能に上記基部に支持される第１移動体と、上記第１移動体を上記第１軸線の原点位置に向けて弾性的に付勢する第１付勢部と、上記第１軸線に直交する第２軸線に沿って移動可能に上記第１移動体に支持される第２移動体と、上記第２移動体を上記第２軸線の原点位置に向けて弾性的に付勢する第２付勢部とを具備するポインティングデバイスにおいて、上記第１付勢部は、上記第１軸線の上記原点位置を中心とした上記第１移動体の往復移動範囲の全体に亘って、上記原点位置へ向かう付勢力を単体で生じる第１弾性部材を備え、上記第２付勢部は、上記第２軸線の上記原点位置を中心とした上記第２移動体の往復移動範囲の全体に亘って、上記原点位置へ向かう付勢力を単体で生じる第２弾性部材を備えること、を特徴とする。
【０００８】
請求項２の発明では、請求項１の発明において、上記第１弾性部材が第１圧縮ばねからなり、上記第１移動体が上記第１軸線の上記原点位置にあるときに、上記第１圧縮ばねがその両端で上記基部に支持され、上記第１移動体が上記第１軸線に沿って上記原点位置から移動する間に、上記第１圧縮ばねが上記基部と上記第１移動体との間で圧縮されることを特徴とする。
【０００９】
請求項３の発明では、請求項１または２の発明において、上記第２弾性部材が第２圧縮ばねからなり、上記第２移動体が上記第２軸線の上記原点位置にあるときに、上記第２圧縮ばねがその両端で上記第１移動体に支持され、上記第２移動体が上記第２軸線に沿って上記原点位置から移動する間に、上記第２圧縮ばねが上記第１移動体と上記第２移動体との間で圧縮されることを特徴とする。
【００１０】
請求項４の発明では、請求項１〜３のいずれか一項に記載の発明において、上記基部と上記第１移動体との間に設けられ、上記第１移動体を上記第１軸線に沿って案内する第１案内部をさらに具備し、上記第１案内部の両側の対称位置に、一対の上記第１弾性部材が設置されることを特徴とする。
【００１１】
請求項５の発明では、請求項１〜４のいずれか一項に記載の発明において、上記第１移動体と上記第２移動体との間に設けられ、上記第２移動体を上記第２軸線に沿って案内する第２案内部をさらに具備し、上記第２案内部の両側の対称位置に、一対の上記第２弾性部材が設置されることを特徴とする。
【００１２】
請求項６の発明では、請求項１〜５のいずれか一項に記載の発明のポインティングデバイスを備えたことを特徴とする。
【発明の効果】
【００１３】
請求項１の発明によれば、第１移動体および第２移動体の移動が、それぞれ単体の弾性体に依存するため、第１移動体および第２移動体を手で、それぞれの原点位置から動かして、離したときであっても、第１移動体および第２移動体の揺れが生じにくく、それぞれの原点位置への正確な復帰が可能となる。
【００１４】
請求項２の発明によれば、基部と第１移動体により第１圧縮ばねが圧縮されるので、ポインティングデバイスの省スペース化を図ることができる。
【００１５】
請求項３の発明によれば、第１移動体と第２移動体により第２圧縮ばねが圧縮されるので、ポインティングデバイスの省スペース化を図ることができる。
【００１６】
請求項４の発明によれば、第１案内部の両側の対称の位置に、一対の第１弾性部材が設置されたので、第１移動部をスムーズに摺動できる。
【００１７】
請求項５の発明によれば、第２案内部の両側の対称の位置に、一対の第２弾性部材が設けられたので、第２移動部をスムーズに摺動できる。
【００１８】
請求項６の発明いれば、請求項１〜５のいずれか一項に記載のポインティングデバイスを備えているので、操作性のよい、ノートパソコンを提供できる。
【発明を実施するための最良の形態】
【００１９】
図１は、本発明の第一の実施形態のポインティングデバイス１の組み立て図を示し、図２は、その斜視分解図を示す。図３は、操作部１4を図１のＢ方向に動かしたときの、図１のＡ-Ａ断面図を示し、図４は、操作部１４が原点位置にあるときの図１のＡ-Ａ断面図を示し、図５は、操作部１４を図１のＣ方向に動かしたときの図１のＡ-Ａ断面図を示す。図６は、操作部１４が図４の状態のときの図１のＤ-Ｄ断面図の一部を示し、図７は操作部１４が図５の状態のときの図１のＤ-Ｄ断面図の一部を示す。
【００２０】
ポインティングデバイス１は、基部２と、第１軸線２７に沿って移動可能に上記基部２に支持される第１移動体３と、上記第１移動体３を上記第１軸線２７の原点位置２８に向けて弾性的に付勢する第１付勢部と、上記第１軸線２７に直交する第２軸線２９に沿って移動可能に上記第１移動体３に支持される第２移動体４と、上記第２移動体４を上記第２軸線２９の原点位置３０に向けて弾性的に付勢する第２付勢部とを具備する。上記第１付勢部は、上記第１軸線２７の上記原点位置２８を中心とした上記第１移動体３の往復移動範囲の全体に亘って、上記原点位置２８へ向かう付勢力を単体で生じる第１弾性部材１１を備えている。上記第２付勢部は、上記第２軸線２９の上記原点位置３０を中心とした上記第２移動体４の往復移動範囲の全体に亘って、上記原点位置３０へ向かう付勢力を単体で生じる第２弾性部材１６を備える。これにより、第１移動体３および第２移動体４の移動が、それぞれ単体の弾性体に依存するため、第１移動体３および第２移動体４を手で、それぞれの原点位置２８、３０から動かして、離したときであっても、第１移動体３および第２移動体４の揺れが生じにくく、それぞれの原点位置２８、３０への正確な復帰が可能となる。
【００２１】
そして、上記第１弾性部材１１が第１圧縮ばね１１からなり、上記第１移動体３が上記第１軸線２７の上記原点位置２８にあるときに、上記第１圧縮ばね１１がその両端で上記基部に支持され、上記第１移動体３が上記第１軸線２７に沿って上記原点位置２８から移動する間に、上記第１圧縮ばね１１が上記基部２と上記第１移動体３との間で圧縮される。これにより、基部２と第１移動体３により圧縮ばね１１が圧縮されるので、ポインティングデバイス１の省スペース化を図ることができる。
【００２２】
同様に、上記第２弾性部材１６が第２圧縮ばね１６からなり、上記第２移動体４が上記第２軸線２９の上記原点位置３０にあるときに、上記第２圧縮ばね１６がその両端で上記第１移動体３に支持され、上記第２移動体４が上記第２軸線２９に沿って上記原点位置３０から移動する間に、上記第２圧縮ばね１６が上記第１移動体３と上記第２移動体４との間で圧縮される。これにより、第１移動体３と第２移動体４により圧縮ばね１６が圧縮されるので、ポインティングデバイス１の省スペース化を図ることができる。
【００２３】
更に、上記基部２と上記第１移動体３との間に設けられ、上記第１移動体３を上記第１軸線２７に沿って案内する第１案内部１３をさらに具備し、上記第１案内部１３の両側の対称位置に、一対の上記第１弾性部材１１が設置される。これにより、第１案内部１３の両側の対称の位置に、一対の第１弾性部材１１が設置されたので、第１移動部３をスムーズに摺動できる。
【００２４】
同様に、上記第１移動体３と上記第２移動体４との間に設けられ、上記第２移動体４を上記第２軸線２９に沿って案内する第２案内部９をさらに具備し、上記第２案内部９の両側の対称位置に、一対の上記第２弾性部材１６が設置される、これにより、第２案内部９の両側の対称の位置に、一対の第２弾性部材１６が設けられたので、第２移動部４をスムーズに摺動できる。
【００２５】
より詳細に説明すると、本発明の第一の実施形態のポインティングデバイス１は、基部２と、上記基部２内の第１移動体３と、上記第１移動体３内の第２移動体４とを有する。上記基部２は、第１案内部１３と、上記第１案内部１３が貫通する第１穴５と、一対の第１ばね押さえ６とを有している。ここで、一対の第１ばね押さえ６は２組ある。上記第１移動体３は、上記第１案内部１３が貫通する第２穴７と、上記第２穴７と直交する方向で、上記第２穴７と交差しない位置に設けられた第３穴８と、上記第３穴８を貫通する第２案内部９と、一対の第２ばね押さえ１０と、上記一対の第１ばね押さえ６で圧縮される第１ばね１１と、上記第１ばね１１を収容する第１ばね受容部１２とを有する。ここで、第１ばね１１と第１ばね受容部１２は、それぞれ２組ずつある。上記第２移動体４は、操作部１４と、上記第２案内部９が貫通する第４穴１５と、上記一対の第２ばね押さえ１０で圧縮される第２ばね１６と、上記第２ばね１６を収容する第２ばね受容部１７とを有する。ここで、一対の第２ばね押さえ１０と第２ばね１６と第２ばね受容部１７は、それぞれ２組ずつある。上記第１ばね受容部１２は、上記第１ばね１１を受容できる凹部１８を有し、上記凹部１８の内側端部で、上記第１ばね１１を圧縮するようにされているとともに、上記凹部１８の内側端部の壁部２０は、上記一対の第１ばね押さえ６が、上記凹部１８の外側から内側にスライド可能にされ、上記第１ばね１１を圧縮可能にするようにされた、スリット２２を有している。上記第２ばね受容部１７は、上記第２ばね１６を受容できる凹部１９を有し、上記凹部１９の内側端部で、上記第２ばね１６を圧縮するようにされているとともに、上記凹部１６の内側端部の壁部２１は、上記一対の第２ばね押さえ１０が、上記凹部１９の外側から内側にスライド可能にされ、上記第２ばね１６を圧縮可能にするようにされた、スリット２３を有している。そして、上記第１ばね受容部１２の上記凹部１８の内側端部と、上記一対の第１ばね押さえ６が、上記第１ばね１１を協働して圧縮することにより、上記第１移動体３を保持し、上記第２ばね受容部１７の上記凹部１９の内側端部と、上記一対の第２ばね押さえ１０が、上記第２ばね１６を協働して圧縮することにより、上記第２移動体４を保持する。これにより、第１移動体３の移動がそれぞれ一対の第１ばね１１に依存し、第２移動体４の移動がそれぞれ一対の第２ばね１６に依存するため操作部１４の揺れが生じにくく、操作部１４を移動させてから、手を離しても、第１移動体３と第２移動体４、すなわち操作部１４の原点位置への正確な復帰が可能となる。
【００２６】
上記第１ばね１１の両端部に挿入される、一対のストッパー２６を有し、上記一対のストッパー２６は、それぞれ２つの端部を有しており、一方の端部には、上記第１、第２ばね１１をはめるようにされた、第１ばね１１の内径より略大きい円筒部分２４が形成され、もう一方の端部には、上記第１ばね受容部１２の上記凹部の内側端部の壁部２０に接する端面が形成されている。上記第１ばね受容部１１の上記凹部１８の内側端部と、上記一対の第１ばね押さえ６が、上記第１ばね１１を協働して圧縮するときに、上記端面は、上記第１ばね受容部１１の上記凹部１８の内側端部の壁部２０と上記一対の第１ばね押さえ６に、密着する。同様に、上記第２ばね１６の両端部に挿入される、一対のストッパー２６を有し、上記一対のストッパー２６は、それぞれ２つの端部を有しており、一方の端部には、上記第２ばね１６をはめるようにされた、第２ばね１６の内径より略大きい円筒部分２５が形成され、もう一方の端部には、上記第２ばね受容部１７の上記凹部の内側端部の壁部２１に接する端面が形成されている。上記第２ばね受容部１６の上記凹部１９の内側端部と、上記一対の第２ばね押さえ１０が、上記第２ばね１６を協働して圧縮するときに、上記端面は、上記第２ばね受容部１６の上記凹部１９の内側端部の壁部２１と上記一対の第２ばね押さえ１０に、密着する。これにより第２ばね１６を確実に、略垂直に圧縮することができ、更に操作部１４が、揺れを生じにくく、原点位置への復帰が正確にできるようになる。
【００２７】
更に、上記第１ばね受容部１２および上記第１ばね１１は、上記第１移動体３の下面に設置され、上記第２ばね受容部１７および上記第２ばね１６は、上記第２移動体４の下面に配置されているので、ポインティングデバイス１の省スペース化を図ることができる。
【００２８】
図８は、第一の実施形態のポインティングデバイス１が組み込まれた、第二の実施形態のノートパソコン１０１の斜視図である。
第一の実施形態のポインティングデバイス１を備えたノートパソコン１０１なので、操作性のよい、ノートパソコン１０１を提供できる。
【図面の簡単な説明】
【００２９】
【図１】本発明の第一の実施形態のポインティングデバイス１の組み立て図を示す。
【図２】図１の斜視分解図を示す。
【図３】操作部を図１のＢ方向に動かしたときの、図１のＡ-Ａ断面図を示す。
【図４】操作部が原点位置にあるときの図１のＡ-Ａ断面図を示す。
【図５】操作部を図１のＣ方向に動かしたときの図１のＡ-Ａ断面図を示す。
【図６】操作部が図４の状態のときの図１のＤ-Ｄ断面図を示す。
【図７】操作部が図５の状態のときの図１のＤ-Ｄ断面図を示す。
【図８】第一の実施形態のポインティングデバイスが組み込まれた、第二の実施形態のノートパソコン１０１の斜視図である。
【符号の説明】
【００３０】
１    ポインティングデバイス
２    基部
３    第１移動体
４    第２移動体
５    第一穴
６    一対の第１ばね押さえ
７    第２穴
８    第３穴
９    第２案内部
１０    一対の第２ばね押さえ
１１    第１ばね
１２    第１ばね受容部
１３    第１案内部
１４    操作部
１５    第４穴
１６    第２ばね
１７    第２ばね受容部
１８    凹部
１９    凹部
２０    内側端部の壁部
２１    内側端部の壁部
２２    スリット
２３    スリット
【図１】
2008250769.tif 000003
【図２】
2008250769.tif 000004
【図３】
2008250769.tif 000005
【図４】
2008250769.tif 000006
【図５】
2008250769.tif 000007
【図６】
2008250769.tif 000008
【図７】
2008250769.tif 000009
【図８】
2008250769.tif 000010